(57)【特許請求の範囲】
【請求項１】
流し台のシンクの左右いずれか一側方に、上面が開口した洗浄槽が引き出し自在に設置され、洗浄槽の上面開口から出し入れされる食器籠が下段の籠体と跳ね上げ自在な上段の籠体とで構成され、食器籠の下方には洗浄槽の１つの隅部に寄せて残菜を捕集するための残菜フィルタが配置されている食器洗い乾燥機であって、上段の籠体は下段の籠体の上方部の片側半分に寄せて設けられる共に、下段の籠体の下面部の対角位置の２つの隅部には、対をなす跳ね上げ自在な補助籠がそれぞれ設けられ、洗浄槽がシンクの左右どちらに位置していても、食器籠の向きを左右に反転させることで、上段の籠体を洗浄槽内のシンクから離れた奥側に寄せて配置でき、且つ、食器籠を左右に反転させても対をなす補助籠のいずれか一方の補助籠が残菜フィルタの上方に位置するように配置して成ることを特徴とする食器洗い乾燥機。
【請求項２】
流し台のシンクの左右いずれか一側方に、上面が開口した洗浄槽が引き出し自在に設置され、洗浄槽の上面開口から出し入れされる食器籠の下方には洗浄槽の１つの隅部に寄せて残菜を捕集するための残菜フィルタが配置されている食器洗い乾燥機であって、食器籠は残菜フィルタの上方に対向配置される補助籠と、補助籠に隣接配置される籠体とを備え、補助籠は、籠体と対向する一辺側に設けた回転軸回りに跳ね上げ自在とされ、補助籠を水平に倒した状態では補助籠に設けた食器保持片が籠体に設けた食器保持片と略平行に配置されると共に、補助籠を跳ね上げた状態では補助籠の食器保持片が籠体の食器保持片に対して非平行となり且つ食器保持片同士が互いに位置ずれするように、補助籠の回転軸を籠体の一辺に対して傾斜させて成ることを特徴とする食器洗い乾燥機。
【発明の詳細な説明】
【０００１】
【発明の属する技術分野】
本発明は、流し台のシンクの左右いずれか一側方に設置される食器洗い乾燥機に関し、詳しくは洗浄槽内に配置される食器籠の構造に関するものである。
【０００２】
【従来の技術】
流し台１０に設置される食器洗い乾燥機１は、図１０に示すようにシンク１１の左隣り、或いは図１１に示すようにシンク１１の右隣りのいずれかに設けられており、上面が開口した洗浄槽２を前方Ａにスライド自在に引き出し、洗浄槽２の左右どちらかから食器７を食器籠３内に配置できるようにしてある。図中の３０はカウンターである。洗浄槽２は通常、幅寸法Ｌが４５ｃｍ程度の平面視長方形状に形成されている。食器籠３は、下段の籠体５と上段の籠体４とで構成されている。上段の籠体４は跳ね上げ自在とされ、洗浄槽２の奥行き方向Ｅに沿って設けられている。この上段の籠体４を跳ね上げて食器７を下段の籠体５内に配置した後に、上段の籠体４を倒すことで、上段の籠体４内にも食器７を配置できるようにしてある。食器籠３の下方には、洗浄槽２の１つの隅部２ｂに寄せて残菜を捕集するための残菜フィルタ８が設けられており、一方、下段の籠体５の下面部の一部分には跳ね上げ自在な補助籠６が設けられており、補助籠６を跳ね上げることによって下段の籠体５の下面部の一部分が開放され、この部分から残菜フィルタ８を取り出して手入れできる構造となっている。
【０００３】
【発明が解決しようとする課題】
ところが従来では、下段の籠体５に設けた補助籠６が残菜フィルタ８の上方に対向するように食器籠３の向きを決めなければならないため以下の不都合がある。つまり図１１のように、洗浄槽２がシンク１１の右隣りにあるときに補助籠６を残菜フィルタ８の上方に位置させると、上段の籠体４が使用者５０から見て洗浄槽２の手前側Ｈに位置し、上段の籠体４を跳ね上げて下段の籠体５内に食器を入れる際に、上段の籠体４が邪魔になって食器が入れにくくなったり上段の籠体４が倒れたりするという煩わしさがある。なお、図１１において、上段の籠体４を使用者５０から見て洗浄槽２の奥側Ｇに位置するように食器籠３を左右に反転させると、食器は配置しやすくなるが、補助籠６の位置が変わって残菜フィルタ８の上方に対向しなくなるため、運転終了後に残菜フィルタ８を手入れする際には、食器籠３全体を洗浄槽２から一旦取り出した後に残菜フィルタ８を取り出す必要が生じ、残菜フィルタ８の手入れに手間がかかるという別の問題が生じる。
【０００４】
なお図１２に示すように、上段の籠体４を洗浄槽２の幅方向Ｄに設けることも考えられるが、洗浄槽２の幅寸法Ｌは４５ｃｍ程度と短いために、上段の籠体４の食器を置く面積が狭くなるという問題がある。この場合、図１２の一点鎖線Ｎで示すように、上段の籠体４の面積を大きくすると、上段の籠体４を跳ね上げたときに図１２の２点鎖線Ｎ´で示すように、上段の籠体４が洗浄槽２からはみ出してしまうという問題が生じる。また、上段の籠体４のはみ出しを防ぐ対策として、上段の籠体４を例えば２段折りにすると、上段の籠体４の構造が複雑化してコストアップを招いたり、食器のレイアウトがしにくくなるといった別の問題が生じる。
【０００５】
本発明は、上記の従来例の問題点に鑑みて発明したものであって、その目的とするところは、下段の籠体に食器を入れる際に上段の籠体が妨げとならず、しかも上段の籠体の面積を大きく確保でき、さらに食器籠を左右に反転して設置した場合でも残菜フィルタの取り出しを容易に行うことができ、使い勝手の良好な食器洗い乾燥機を提供するにある。
【０００６】
【課題を解決するための手段】
上記課題を解決するために本発明にあっては、流し台１０のシンク１１の左右いずれか一側方に、上面が開口した洗浄槽２が引き出し自在に設置され、洗浄槽２の上面開口２ａから出し入れされる食器籠３が下段の籠体５と跳ね上げ自在な上段の籠体４とで構成され、食器籠３の下方には洗浄槽２の１つの隅部２ｂに寄せて残菜を捕集するための残菜フィルタ８が配置されている食器洗い乾燥機であって、上段の籠体４は下段の籠体５の上方部の片側半分に寄せて設けられる共に、下段の籠体５の下面部５ａの対角位置の２つの隅部５ｂ，５ｃには、対をなす跳ね上げ自在な補助籠６がそれぞれ設けられ、洗浄槽２がシンク１１の左右どちらに位置していても、食器籠３の向きを左右に反転させることで、上段の籠体４を洗浄槽２内のシンク１１から離れた奥側Ｇに寄せて配置でき、且つ、食器籠３を左右に反転させても対をなす補助籠６のいずれか一方の補助籠６が残菜フィルタ８の上方に位置するように配置して成ることを特徴としており、このように構成することで、洗浄槽２がシンク１１の左右どちらに位置していても、食器籠３の向きを反転させるだけで、上段の籠体４を洗浄槽２内のシンク１１から離れた奥側Ｇに寄せて配置できるので、下段の籠体５内に食器を入れ易くなると共に、上記のように食器籠３を左右に反転させても、いずれか一方の補助籠６が残菜フィルタ８の上方に位置することで、一方の補助籠６を跳ね上げて残菜フィルタ８を取り出すことができ、運転終了後の残菜フィルタ８の手入れが容易となる。
【０００７】
また本発明にあっては、流し台１０のシンク１１の左右いずれか一側方に、上面が開口した洗浄槽２が引き出し自在に設置され、洗浄槽２の上面開口２ａから出し入れされる食器籠３の下方には洗浄槽２の１つの隅部２ｂに寄せて残菜を捕集するための残菜フィルタ８が配置されている食器洗い乾燥機であって、食器籠３は残菜フィルタ８の上方に対向配置される補助籠６と、補助籠６に隣接配置される籠体５とを備え、補助籠６は、籠体５と対向する一辺側に設けた回転軸Ｍ回りに跳ね上げ自在とされ、補助籠６を水平に倒した状態では補助籠６に設けた食器保持片２９が籠体５に設けた食器保持片３０と略平行に配置されると共に、補助籠６を跳ね上げた状態では補助籠６の食器保持片２９が籠体５の食器保持片３０に対して非平行となり且つ食器保持片２９，３０同士が互いに位置ずれするように、補助籠６の回転軸Ｍを籠体５の一辺５ｃに対して傾斜させて成ることを特徴としており、このように構成することで、補助籠６を水平に倒して、籠体５の食器保持片３０に食器を入れる際の食器の向きと同じ向きでしかも同じ配列で、別の食器を補助籠６の食器保持片２９に入れることができ、食器が入れ易くなるものであり、また、残菜フィルタ８を取り出す際には、補助籠６を跳ね上げると、補助籠６の回転軸Ｍの傾斜によって補助籠６の食器保持片２９が籠体５の食器保持片３０から位置ずれすることで、食器保持片２９，３０同士が当たるのを防止でき、これにより、補助籠６の跳ね上げ角度θを大きくできるので、残菜フィルタ８が取り出し易くなり、運転終了後の残菜フィルタ８の手入れがきわめて容易となる。
【０００８】
【発明の実施の形態】
以下、本発明を添付図面に示す実施形態に基づいて説明する。
【０００９】
本例の食器洗い乾燥機１は、図１〜図３に示すように、上面が開口した洗浄槽２内に食器７を入れる食器籠３が出し入れ自在に配置されると共に、洗浄槽２内には洗浄ノズル１３から洗浄水が供給されるようになっている。その他に、図示省略した洗浄、排水のためのポンプ、給水のための電磁弁、加熱のためのヒーター、乾燥のためのファン、上記各部品を制御する制御ボックスを実装する制御基板等を備えている。
【００１０】
上記洗浄槽２は、流し台１０のシンク１１の左右いずれか一側方に隣接して設置されている。ここで図１〜図３はシンク１１の左隣りに設置した場合を示し、図４、図５はシンク１１の右隣りに設置した場合を示している。いずれの場合も、流し台１０の前方Ａにスライド自在に引き出される引出し１２内に洗浄槽２が組み込まれている。洗浄槽２の形状は、従来と同様、幅寸法が４５ｃｍ程度の平面視長方形状に形成されている。
【００１１】
食器籠３は、図１〜図３に示すように、洗浄槽２の上面開口２ａから出し入れ自在とされ、下段の籠体５と跳ね上げ自在な上段の籠体４とが一体に構成されている。各籠体４，５は、いずれも複数の線状体を組み合わせて構成されている。上段の籠体４は、下段の籠体５の上方部の幅方向Ｄ（図１）の片側半分に寄せて且つ奥行き方向Ｅの略全長に亘って配置されており、その上面には比較的小さいコップなどの食器７を並べて保持するための複数の食器保持片２１（図３）が設けられている。
【００１２】
下段の籠体５の下面部５ａには、図３に示すように、幅方向Ｄの片側半分には、小皿を並べて配置するための背の低い食器保持片１５が櫛状に立設されており、他の片側半分には、大皿を並べて配置するための背の高い食器保持片１６が櫛状に立設されている。図１の例では、背の低い食器保持片１５が奥行き方向Ｅに３列、第２の食器保持片１６が奥行き方向Ｅに２列それぞれ配設されているが、その配列数及び配列位置は特に限定されるものではない。
【００１３】
前記背の低い食器保持片１５の上端部には、図３、図５に示すように、上段の籠体４を上方Ｂに跳ね上げ自在に支持するための回動支持部が設けられている。この回動支持部は下段の籠体５の前端側に位置する上支持片１７ａ及び下支持片１７ｂ（図３）と、下段の籠体５の後端側に位置する上支持片１８ａ及び下支持片１８ｂ（図５）とからなる。一方、上段の籠体４の前後両端には側面視略Ｌ字状をした一対の屈曲部１８，１９が設けられており、屈曲部１８，１９の各下端部が下支持片１７ｂ、１８ｂに対してそれぞれ回動自在に取着されていると共に、屈曲部１８，１９の各上端部は、上支持片１７ａ、１８ａに対してそれぞれ接離自在に当接している。そして、上段の籠体４を下支持片１７ｂ，１８ｂを中心に上方Ｂに跳ね上げ、下支持片１７ｂ，１８ｂを通る鉛直線Ｆ（図３）よりも外側（図３の左側）に重心移動させることによって、上段の籠体４が跳ね上げた状態で保持されるようになり、また上段の籠体４を下方Ｃに倒して上支持片１７ａ，１８ａに当てることによって、上段の籠体４がやや傾斜姿勢で保持されるようになっている。
【００１４】
食器籠３の下方には、洗浄槽２の底面の１つの隅部２ｂに寄せて設けられる残菜フィルタ８が配置されている。残菜フィルタ８は食器７の洗浄時に出る残菜を捕集するためのものであり、取り出しを容易にするために取手部８ａが設けられている。
【００１５】
残菜フィルタ８を取り出すために、図１に示すように、下段の籠体５の下面部５ａにおける対角位置の２つの隅部５ｂ，５ｃには、対をなす跳ね上げ自在な補助籠６がそれぞれ設けられている。各補助籠６は、それぞれ、残菜フィルタ８を取り出すことができる大きさを有しており、補助籠６を跳ね上げることで残菜フィルタ８が取り出し可能となっている。そして、食器籠３の向きは左右に１８０°反転自在とされ、いずれの向きの場合でも上段の籠体４が洗浄槽２内のシンク１１から離れた奥側Ｇに寄せて配置され且つ対をなす補助籠６のいずれか一方が残菜フィルタ８の上方に配置されるようになっている。
【００１６】
ここで、上記対をなす補助籠６，６は、同じ構造をしており、いずれも複数の線状体を組み合わせて構成されている。以下、一方の補助籠６について説明する。図６、図７に示すように、補助籠６は下段の籠体５の１つの隅部５ｂに設けた略四角穴形状のフィルタ取り出し用開口部２２に開閉自在に取り付けられている。本例では補助籠６は、側面視略Ｌ字状の長尺補助部材２３と、長尺補助部材２３と平行に配置される短尺補助部材２４と、両補助部材２３，２４に対して交差する方向に延びる連結部材２５とが一体に接続されている。長尺補助部材２３及び短尺補助部材２４の各基端部には、それぞれ、折り曲げ部２６が設けられている。各折り曲げ部２６は、フィルタ取り出し用開口部２２の左右両側の内辺２２ａから突設された左右一対の回動支持部２７にそれぞれ回動自在に取着されており、これにより補助籠６は回動支持部２７を中心としてフィルタ取り出し用開口部２２を覆う位置から覆わない位置まで回転自在とされ、補助籠６を開くことによって残菜フィルタ８をフィルタ取り出し用開口部２２から取り出し可能となっている。なお、長尺補助部材２３の先端には取手部２８が設けられており、連結部材２５には、上向きの櫛状の食器保持片２９が複数突設されている。
【００１７】
しかして、洗浄槽２がシンク１１の左隣り（図１）或いは右隣り（図４）のどちらに位置していても、食器籠３の向きを左右に１８０°反転させるだけで、上段の籠体４を使用者５０から見てシンク１１から離れた奥側Ｇに寄せて配置できるようになるので、下段の籠体５内に食器を入れ易くなる。また、上記のように食器籠３を左右に反転させても、下段の籠体５の下面部５ａの対角位置に設けた２つの補助籠６の一方が残菜フィルタ８の上方に位置するようになるので、一方の補助籠６を跳ね上げて残菜フィルタ８を取り出すことができるようになり、従って、運転終了後の残菜フィルタ８の手入れが容易となる。つまり従来のように食器籠３全体を洗浄槽２から一旦取り出したりする必要がないので、使い勝手が良好となる。そのうえ、下段の籠体５は、その下面部５ａの対角位置に対をなす補助籠６，６を対称的に配置するという簡単な構造で済むので、下段の籠体５の構造が複雑とならず、各補助籠６にも食器７を効率良く配置できるようになる。
【００１８】
さらに、上段の籠体４は洗浄槽２の奥行き方向Ｅに沿って設けられているので、上段の籠体４の面積を大きく確保でき、これにより食器７を置く面積を広げながら、上段の籠体４を下段の籠体５との一体型で安価に構成することができるという利点もある。
【００１９】
また、残菜フィルタ８の上方を覆う補助籠６の跳ね上げ角度θを大きくするために、本発明では、図６、図８に示すように、下段の籠体５（以下、「籠体５）と称する。）の一辺５ｃに対して補助籠６の回転軸Ｍを傾斜させている。ここでは、補助籠６に設けた一対の折り曲げ部２６を一対の回動支持部２７にそれぞれ回動自在に引掛けて支持しており、補助籠６の引掛け位置を斜めにずらすことによって、回転軸Ｍを傾斜させている。これにより、補助籠６を水平に倒した状態では、図６に示すように、補助籠６に設けた複数の食器保持片２９が籠体５に設けた複数の食器保持片３０とそれぞれ略平行に配置されるようになり、これによって、籠体５の食器保持片３０に食器を入れる際の食器の向きと同じ向きでしかも同じ配列で、別の食器を補助籠６の食器保持片２９に入れることができ、食器が入れ易くなる。さらに、補助籠６を跳ね上げると補助籠６が斜め方向に移動して、図８に示すように、補助籠６の各食器保持片２９が籠体５の各食器保持片３０に対してそれぞれ非平行となり且つ各食器保持片２９，３０同士が互いに位置ずれするようになる。これにより、図８、図９に示すように、補助籠６の各食器保持片２９が籠体５の各食器保持片３０相互間にそれぞれ挿入されて、食器保持片２９，３０同士が当たるのを防止できるようになり、結果として、補助籠６の跳ね上げ角度θ（図９）が大きくなって残菜フィルタ８が取り出し易くなり、食器籠３全体を洗浄槽２から取り出すことなく、残菜フィルタ８の手入れを一層容易に行うことができる。
【００２０】
ところで、線状体からなる補助籠６に設けた一対の折り曲げ部２６を一対の回動支持部２７に回動自在に引掛けて支持する構造において、回動支持部２７と折り曲げ部２６との間に遊びをもたせるようにすれば、補助籠６を跳ね上げたときに補助籠６を上記遊びの分だけ横方向或いは斜め方向にずれ動かすことができて、残菜フィルタ８を取り出し易くなるが、このようにすると補助籠６にがたつきが発生して、食器を補助籠６に入れにくくなる。特に、遊びの範囲内でしか補助籠６をずらすことができないため、補助籠６の回避範囲が狭く、残菜フィルタ８が取り出し難くなるなど、使い勝手が悪くなるという問題がある。そこで、本発明のように、補助籠６の回転軸Ｍを傾斜させるだけで、補助籠６を大きく跳ね上げることができ、結果として残菜フィルタ８が取り出し易くなると共に、回動支持部２７と折り曲げ部２６との間に遊びがなくなることで、補助籠６のがたつきを防止できる。しかも補助籠６を水平に倒したときには、補助籠６は略同じ元の位置に戻るようになり、食器が一層入れ易くなり、使い勝手が一段と向上する。
【００２１】
なお、上記補助籠６の回転軸Ｍの傾斜方向は図６、図８の場合とは逆方向に傾斜させてもよいものであり、要するに補助籠６を跳ね上げたときに洗浄槽２の内側壁に補助籠６が当たらないように傾斜させればよいものである。
【００２２】
【発明の効果】
上述のように請求項１記載の発明にあっては、流し台のシンクの左右いずれか一側方に、上面が開口した洗浄槽が引き出し自在に設置され、洗浄槽の上面開口から出し入れされる食器籠が下段の籠体と跳ね上げ自在な上段の籠体とで構成され、食器籠の下方には洗浄槽の１つの隅部に寄せて残菜を捕集するための残菜フィルタが配置されている食器洗い乾燥機であって、上段の籠体は下段の籠体の上方部の片側半分に寄せて設けられる共に、下段の籠体の下面部の対角位置の２つの隅部には、対をなす跳ね上げ自在な補助籠がそれぞれ設けられ、洗浄槽がシンクの左右どちらに位置していても、食器籠の向きを左右に反転させることで、上段の籠体を洗浄槽内のシンクから離れた奥側に寄せて配置でき、且つ、食器籠を左右に反転させても対をなす補助籠のいずれか一方の補助籠が残菜フィルタの上方に位置するように配置して成るので、洗浄槽がシンクの左右どちらに位置していても、食器籠の向きを左右に反転させるだけで、上段の籠体を洗浄槽内のシンクから離れた奥側に寄せて配置できるようになる。従って、下段の籠体内に食器を入れる際に、跳ね上げられた上段の籠体が邪魔にならず、食器の出し入れが容易となり、従来のように上段の籠体に手が触れたり、上段の籠体が倒れるという煩わしさを解消できるものである。また上記のように食器籠を左右に反転させても、いずれか一方の補助籠が残菜フィルタの上方に位置するようになるので、上段の籠体の上方に位置している補助籠を跳ね上げて残菜フィルタを取り出すことができるので、運転終了後の残菜フィルタの手入れが容易となる。そのうえ、対をなす補助籠を下段の籠体の下面部の対角位置の２つの隅部にそれぞれ配置するという簡単な構造であるので、食器籠の構造を複雑化させることなく、使い勝手を向上させることができるという効果がある。
【００２３】
また請求項２記載の発明にあっては、流し台のシンクの左右いずれか一側方に、上面が開口した洗浄槽が引き出し自在に設置され、洗浄槽の上面開口から出し入れされる食器籠の下方には洗浄槽の１つの隅部に寄せて残菜を捕集するための残菜フィルタが配置されている食器洗い乾燥機であって、食器籠は残菜フィルタの上方に対向配置される補助籠と、補助籠に隣接配置される籠体とを備え、補助籠は、籠体と対向する一辺側に設けた回転軸回りに跳ね上げ自在とされ、補助籠を水平に倒した状態では補助籠に設けた食器保持片が籠体に設けた食器保持片と略平行に配置されると共に、補助籠を跳ね上げた状態では補助籠の食器保持片が籠体の食器保持片に対して非平行となり且つ食器保持片同士が互いに位置ずれするように、補助籠の回転軸を籠体の一辺に対して傾斜させて成るので、補助籠を水平に倒して、籠体の食器保持片に食器を入れる際の食器の向きと同じ向きでしかも同じ配列で、別の食器を補助籠の食器保持片に入れることができ、食器が入れ易くなると共に、残菜フィルタを取り出す際には、補助籠を跳ね上げると、補助籠の回転軸の傾斜によって補助籠の食器保持片が籠体の食器保持片から位置ずれすることで、食器保持片同士が当たるのを防止でき、これにより、補助籠の跳ね上げ角度を大きくできるので、残菜フィルタが取り出しが一層容易となり、運転終了後の残菜フィルタの手入れがし易くなり、使い勝手を向上させることができるという効果がある。
【図面の簡単な説明】
【図１】本発明の実施形態の一例を示し、洗浄槽をシンクの右隣りに設置した場合の平面図である。
【図２】図１の側面断面図である。
【図３】図１の正面断面図である。
【図４】同上の洗浄槽をシンクの左隣りに設置した場合の平面図である。
【図５】図４の正面断面図である。
【図６】同上の補助籠を説明する平面図である。
【図７】図６の側面図である。
【図８】同上の補助籠を跳ね上げた状態の平面図である。
【図９】図８の側面図である。
【図１０】従来の洗浄槽をシンクの右隣りに設置した場合の平面図である。
【図１１】従来の洗浄槽をシンクの左隣りに設置した場合の平面図である。
【図１２】従来の上段の籠体を洗浄槽の幅方向に配置した場合の説明図である。
【符号の説明】
１  食器洗い乾燥機
２  洗浄槽
２ａ  上面開口
２ｂ  隅部
３  食器籠
４  上段の籠体
５  下段の籠体
５ａ  下面部
５ｂ，５ｃ  隅部
５ｃ  籠体の一辺
６  補助籠
７  食器
８  残菜フィルタ
１０  流し台
１１  シンク
２９  補助籠の食器保持片
３０  籠体の食器保持片
Ａ  前方
Ｍ  回転軸
【図１】
0004426713.tif 000002
【図２】
0004426713.tif 000003
【図３】
0004426713.tif 000004
【図４】
0004426713.tif 000005
【図５】
0004426713.tif 000006
【図６】
0004426713.tif 000007
【図７】
0004426713.tif 000008
【図８】
0004426713.tif 000009
【図９】
0004426713.tif 000010
【図１０】
0004426713.tif 000011
【図１１】
0004426713.tif 000012
【図１２】
0004426713.tif 000013